(57)【要約】【課題】混線を防止できる画像表示装置および遊技機を提供すること。【解決手段】パチンコ機等の遊技機では、音声信号を、遊技者が使用するヘッドホン等の受信再生装置に向けて出力することがある。また、画像表示装置から射出される画像光の射出方向には遊技者の頭部が位置することとなる。ここで、本発明によれば、このような遊技者へ向けて画像光を射出する画像表示装置５の表示領域Ａの近傍に、音声信号としての赤外線信号を出力する出力手段５４が配置されているので、出力手段５４と、遊技者が使用するヘッドホン等の受信再生装置とが正対し、近接することとなる。そのため、出力手段５４からの赤外線信号を良好に受信再生装置へ向けて出力でき、混線を防止できる。【選択図】図５
2009160289.tif 000002
【特許請求の範囲】
【請求項１】
画像を表示する表示領域を有する表示手段と、
前記表示領域の近傍に配置され、かつ、音声信号としての赤外線信号を前記画像の視認位置に向けて出力する出力手段とを備えていることを特徴とする画像表示装置。
【請求項２】
請求項１に記載の画像表示装置において、
前記表示手段に表示される画像に応じた音声信号を生成する生成部と、
前記生成部により生成された前記音声信号を、前記出力手段を制御するための制御信号に変調する変調部とを備えていることを特徴とする画像表示装置。
【請求項３】
請求項１または請求項２に記載の画像表示装置において、
前記出力手段は、前記表示領域の側方で、かつ、前記表示領域を囲むように設けられていることを特徴とする画像表示装置。
【請求項４】
請求項１または請求項２に記載の画像表示装置において、
前記出力手段は、
前記表示領域を囲むように設けられて前記赤外線信号を射出する射出部と、
前記表示領域を覆うように設けられ、かつ前記射出部から入射する前記赤外線信号を内部で拡散させて略全面から射出する透光性部材とを備えていることを特徴とする画像表示装置。
【請求項５】
請求項４に記載の画像表示装置において、
前記透光性部材と前記表示領域との間に介装され、かつ、前記表示領域からの赤外線を遮る赤外線カットフィルタ層を備えていることを特徴とする画像表示装置。
【請求項６】
請求項１から請求項５のいずれかに記載の画像表示装置と、
前記出力手段から出力された前記赤外線信号を受信し、前記赤外線信号に応じた音声を再生する受信再生装置とを備えていることを特徴とする遊技機。
【発明の詳細な説明】
【技術分野】
【０００１】
本発明は、画像表示装置および遊技機に関する。
【背景技術】
【０００２】
近年、遊技機としてのパチンコ機において、液晶パネル等の画像表示装置を遊技盤の中央に配置し、この画像表示装置により大当たりや抽選をアニメーション表示するものが普及してきている。このようなパチンコ機では、アニメーション表示に同期させた音声をパチンコ機から遊技者に向けて出力する。ところが、パチンコ店では、通常、複数のパチンコ機を隣接させて設置しているため、遊技者には隣接するパチンコ機からの音声も聞こえてしまう。そのため、自らが遊戯するパチンコ機から出力される音声のみを聞きたいとの要望があった。
【０００３】
このような要望に対し、遊技盤が取り付けられる枠体の上部前面側に設置されて音声信号としての赤外線信号を出力する出力手段と、出力手段からの赤外線信号を受信するヘッドホンとを備えたパチンコ機が提案されている（例えば、特許文献１）。
この特許文献１に記載のパチンコ機では、遊技者は、個々にヘッドホンで当該遊技者が使用するパチンコ機からの音声のみを聞くことができ、リラックスした状態で遊技を楽しむことができる。また、ヘッドホンをワイヤレスで装着できるので、快適に遊技できる。
【０００４】
【特許文献１】特開２００３−３２００８７号公報（図６）
【発明の開示】
【発明が解決しようとする課題】
【０００５】
しかしながら、特許文献１に記載のパチンコ機では、出力手段が枠体の上部に設置されているので、出力手段からの赤外線信号が拡散してしまい、遊技者が遊技する遊技機に隣接する遊技機からの音声信号も当該遊技者に出力されてしまい、当該遊技者のヘッドホンに混線が生じてしまうおそれがあった。
【０００６】
本発明の目的は、混線を防止できる画像表示装置および遊技機を提供することにある。
【課題を解決するための手段】
【０００７】
本発明の画像表示装置は、画像を表示する表示領域を有する表示手段と、前記表示領域の近傍に配置され、かつ、音声信号としての赤外線信号を前記画像の視認位置に向けて出力する出力手段とを備えていることを特徴とする。
パチンコ機等の遊技機では、前述したように、音声信号を、遊技者が使用するヘッドホン等の受信再生装置に向けて出力することがある。また、画像表示装置から射出される画像光の射出方向には遊技者の頭部が位置することとなる。
本発明によれば、このような遊技者へ向けて画像光を射出する画像表示装置の表示領域の近傍に、音声信号としての赤外線信号を出力する出力手段が配置されているので、出力手段と、遊技者が使用する受信再生装置とが正対し、近接することとなる。そのため、出力手段からの赤外線信号を良好に受信再生装置へ向けて出力でき、混線を防止できる。
【０００８】
本発明の画像表示装置では、前記表示手段に表示される画像に応じた音声信号を生成する生成部と、前記生成部により生成された前記音声信号を、前記出力手段を制御するための制御信号に変調する変調部とを備えていることが好ましい。
本発明によれば、生成部により表示画像に応じて生成された音声信号が、変調部により制御信号に変調されて出力手段に出力されるので、表示画像に応じた音声信号としての赤外線信号を出力手段から出力できる。
【０００９】
本発明の画像表示装置では、前記出力手段は、前記表示領域の側方で、かつ、前記表示領域を囲むように設けられていることが好ましい。
本発明によれば、出力手段が表示手段の表示領域を囲むように設けられているので、出力手段が表示領域からの画像光を遮ることがなく、表示領域から良好に画像光を射出できる。
【００１０】
本発明の画像表示装置では、前記出力手段は、前記表示領域を囲むように設けられて前記赤外線信号を射出する射出部と、前記表示領域を覆うように設けられ、かつ前記射出部から入射する前記赤外線信号を内部で拡散させて略全面から射出する透光性部材とを備えていることが好ましい。
本発明によれば、射出部からの赤外線信号は、透光性部材内で拡散し、略全面から射出されることとなるので、前述の受信再生装置へ向けてより良好に赤外線信号を出力でき、確実に混線を防止できる。
【００１１】
本発明の画像表示装置では、前記透光性部材と前記表示領域との間に介装され、かつ、前記表示領域からの赤外線を遮る赤外線カットフィルタ層を備えていることが好ましい。
本発明によれば、透光性部材と表示領域との間には赤外線カットフィルタ層が介装されているので、表示領域からの画像光中に含まれる赤外線を赤外線カットフィルタ層でカットでき、射出部からの赤外線信号にノイズが入ることを抑制できる。
【００１２】
本発明の遊技機は、前述の画像表示装置と、前記出力手段から出力された前記赤外線信号を受信し、前記赤外線信号に応じた音声を再生する受信再生装置とを備えていることを特徴とする。
本発明によれば、前述の画像表示装置を備えているので、前述と同様の効果を奏することができる。
加えて、パチンコ機やパチスロ機等の遊技機では、通常、複数の遊技機が隣接して設置されることが多い。そのため、出力手段の指向性が不良であると、遊技者が遊戯する遊技機に隣接する遊技機からの赤外線信号により、当該遊技者の使用する受信再生装置に混線が生じる。この点、本発明の遊技機では、前述の画像表示装置を備えているので、赤外線信号を良好に受信再生装置へ向けて出力でき、混線を防止できる。
【発明を実施するための最良の形態】
【００１３】
〔第１実施形態〕
以下、本発明の第１実施形態を図面に基づいて説明する。
図１は、本実施形態の遊技機１を示す斜視図、図２は、遊技者による遊技機１の使用状態を示す側面図である。
遊技機１は、パチンコ機であり、遊技者の操作により遊技球を遊技盤３１上に射出し、遊技球が遊技盤３１上に設けられた入賞口に入賞した場合、所定数の遊技球を払い出す。この遊技機１は、図１に示すように、枠体２と、枠体２内に収納される遊技機本体３と、遊技機本体３から出力される音声信号としての赤外線信号を受信してこの赤外線信号に応じた音声を再生するヘッドホン（図２参照）４とを備えており、遊技者がヘッドホン４を装着することでワイヤレスで音声を楽しみながら遊技を行うことができるようになっている。
【００１４】
ヘッドホン４は、本発明の受信再生装置であり、図２に示すように、受信回路部４１と、遊技者の左右の耳に当てられる一対のスピーカ部４２とを備えている。受信回路部４１は、射出部５４１１から射出された赤外線信号を受信し、音声信号に復調してスピーカ部４２に出力する。スピーカ部４２は、入力された音声信号に基づいて音声を出力する。なお、ヘッドホン４は、紛失防止のため、遊技機本体３にワイヤ等で連結されていてもよい。
【００１５】
遊技機本体３は、図１に示すように、枠体２の前面側に取り付けられて中央部分に遊技盤開口部３１１が形成された遊技盤３１と、遊技盤３１の前面を覆う透光板を有する前扉３２と、遊技球を発射するためのハンドル３３と、遊技盤３１の背面側において遊技者の頭部と正対する位置に取り付けられて遊技盤開口部３１１から露出する画像表示装置５と、遊技機１全体を制御する図示しない制御装置とを備えている。このうち、遊技盤３１上には始動入賞口３１２が設けられており、この始動入賞口３１２に遊技球が入賞すると制御装置により抽選処理が実行される。
【００１６】
このような本実施形態の遊技機１では、画像表示装置５に、音声信号としての赤外線信号を出力する出力手段５４（図４参照）が設けられており、制御装置により抽選処理が実行されると、図示しない制御装置による制御の下、画像表示装置５により数字や図柄をスクロールさせるアニメーション表示が行われて抽選処理結果が遊技者に報知される。また、アニメーションと同期した音声信号としての赤外線信号が画像表示装置５から遊技者に向けて出力される。なお、遊技機本体３には、スピーカ（図６参照）６と、スイッチ等の図示しない切替選択手段とが設けられており、切替選択手段でスピーカ６から音声を発生させるように選択することもできるようになっている。
【００１７】
図３は、画像表示装置５の要部を一部断面して示す平面図、図４は、画像表示装置５の要部を示す斜視図である。なお、図３では、カバーガラス５３を省略して図示した。
このような画像表示装置５は、ユニット化されており、図３および図４に示すように、フレーム５１と、表示手段５２と、カバーガラス５３と、出力手段５４と、回路基板５５とを備えている。
【００１８】
フレーム５１は、箱状に形成され、表示手段５２、出力手段５４、および回路基板５５を収納する。このフレーム５１は、横断面視略Ｕ字状に形成され、側面部５１１と、この側面部５１１から内側に折曲する折曲部５１２とを有している。折曲部５１２の中央には、表示手段５２を露出させるフレーム開口部５１３が形成されている。
表示手段５２は、液晶パネル５２１と、液晶パネル５２１の背面側に配置されたバックライトユニット５２２とから構成されている。液晶パネル５２１は、バックライトユニット５２２から射出された光束を変調して、回路基板５５から入力される画像情報に応じた画像を形成および表示する。この表示ユニット５２の画像形成可能な表示領域Ａは、後述する出力手段５４より内側に来るようになっている。
【００１９】
図５は、画像表示装置５の横断面図である。
カバーガラス５３は、折曲部５１２の外面側に貼り付けられており、液晶パネル５２１の表面を保護する。図５に示すように、このカバーガラス５３の外面の周縁部には、表示領域Ａを取り囲むように透光性の低い塗料が塗布され、この塗布から不透光領域Ｂが形成されている。不透光領域Ｂは、後述する出力手段５４から射出される赤外線近傍の波長のみを透過する。
出力手段５４は、回路基板５５の制御の下、アニメーションと同期した音声信号としての赤外線信号を出力する。この出力手段５４は、図５に示すように、液晶パネル５２１の表示領域Ａの側方でかつ表示領域Ａを囲むように設けられており、ＬＥＤ基板５４１と、透光性部材５４２とから構成されている。
ＬＥＤ基板５４１は、回路基板５５に連結されており、液晶パネル５２１を囲む四角枠状（図３参照）に形成されている。このＬＥＤ基板５４１の各辺には、それぞれ赤外線ＬＥＤ(Light Emitting Diode）である射出部５４１１が設けられている。
【００２０】
透光性部材５４２は、透光性を有するガラス等の樹脂であり、射出部５４１１から入射する赤外線信号を外部へ射出する。この透光性部材５４２は、平面視四角枠状（図３参照）かつ断面視扇形状に形成され、ＬＥＤ基板５４１および液晶パネル５２１と、折曲部５１２との間に設置されている。また、透光性部材５４２は、例えば高さＴ１が５ｍｍ、幅Ｈ１が８ｍｍに設定されている。このような透光性部材５４２は、側面部５１１と対向するように配置されて当該側面部５１１との間に射出部５４１１を閉じ込める側面５４２１と、液晶パネル５２１側に配置される底面５４２２と、当該透光性部材５４２の内側に向いた内面５４２３とを備えている。
【００２１】
このうち、側面５４２１には、赤外線信号のみを透過させる赤外線フィルタ層５４２４が積層されている。また、底面５４２２には、赤外線信号を反射するとともに液晶パネル５２１からの光束を透過させるハーフミラー層５４２５が積層されている。これにより、射出部５４１１から赤外線信号が射出されると、透光性部材５４２には赤外線信号のみが入射する。そして、透光性部材５４２内に入射した赤外線信号は、ハーフミラー層５４２５で反射するなどして内面５４２３から外部へ射出され、遊技盤開口部３１１を通って遊技者が装着するヘッドホン４に受信される。この際、画像表示装置５は、遊技者の頭部と正対する位置に設けられているので、赤外線信号は、透光性部材５４２から表示画像の視認位置、すなわち、遊技者が装着するヘッドホン４に向けて出力されることとなる。従って、本実施形態では、枠体の上部に出力手段が設けられていた従来に比べ、より遊技者に向けて良好に赤外線信号を出力でき、混線を抑制できる。
【００２２】
図６は、回路基板５５の構成を示すブロック図である。
回路基板５５は、図６に示すように、ＣＰＵ（Central Processing Unit）５５１と、ＲＯＭ（Read Only Memory）５５２と、ワークＲＡＭ（Random Access Memory）５５３と、ＣＧＲＯＭ(Character Generator ROM)５５４と、ＶＤＰ(Video Display Processor)５５５と、ＶＲＡＭ(Video RAM)５５６と、サウンドプロセッサ５５７と、エンコーダ５５８とを備えている。
【００２３】
ＣＰＵ５５１は、図示しない制御装置による制御の下、回路基板５５全体を制御する。なお、ＣＰＵ５５１には、図示しないクロック回路が接続しており、当該クロック回路から所定のクロック信号が入力される。
ＲＯＭ５５２は、ＣＰＵ５５１に読み出される各種のプログラムや、サウンドプロセッサ５５７に読み出される音声データを記憶している。
ワークＲＡＭ５５３は、ＣＰＵ５５１の作業メモリであり、ＣＰＵ５５１がＲＯＭ５５２から読み出したプログラムを記憶する。
【００２４】
ＣＧＲＯＭ５５４は、ＶＤＰ５５４に読み出される画像データを記憶している。
ＶＤＰ５５５は、ＣＰＵ５５１による制御の下、ＣＧＲＯＭ５５４から画像データを取得して表示画像に係る画像データを形成し、当該画像データに係る画像信号を生成して液晶パネル５２１に出力する。
ＶＲＡＭ５５６は、ＶＤＰ５５５の作業メモリであり、ＶＤＰ５５５により生成された画像データを記憶する。
【００２５】
サウンドプロセッサ５５７は、本発明の生成部であり、ＣＰＵ５５１による制御の下、ＲＯＭ５５２から音声データを取得して、ＶＤＰ５５５によって生成される画像信号と同期した音声信号を生成し、エンコーダ５５８に出力する。なお、サウンドプロセッサ５５７は、図示しない切替選択手段が操作された場合にはスピーカ６に音声信号を出力する。
【００２６】
エンコーダ５５８は、本発明の変調部であり、サウンドプロセッサ５５７から入力された音声信号を、射出部５４１１を制御するための制御信号（点灯信号）に変調して射出部５４１１に出力する。これにより、射出部５４１１から、表示画像と同期した音声信号としての赤外線信号が射出される。射出部５４１１から射出された赤外線信号は、透光性部材５４２に入射した後に、前述したように、透光性部材５４２の内面５４２３から遊技者が装着するヘッドホン４に向けて射出され、当該ヘッドホン４に受信される。そして、ヘッドホン４により、この赤外線信号に応じた音声が再生される。
【００２７】
以上のような本実施形態の遊技機１によれば、以下の効果を奏することができる。
音声信号としての赤外線信号を出力する出力手段５４が、遊技者へ画像光を射出する画像表示装置５の表示領域Ａ近傍に設けられているので、出力手段５４と遊技者の頭部とが正対し近接することとなる。そのため、出力手段５４から、遊技者の頭部に装着されるヘッドホン４へ向けて良好に赤外線信号を出力でき、混線を抑制できる。また、混線を防止するために各遊技機１ごとに出力手段５４から射出される赤外線信号の波長を変える必要がないので、遊技機１の設定を容易にできる。
表示手段５２が遊技盤開口部３１１の奥側に配置されているので、出力手段５４から射出される赤外線信号の進路を限定でき、より良好に赤外線信号をヘッドホン４に向けて出力できる。
【００２８】
画像表示装置５が出力手段５４を備えてユニット化されているので、画像表示装置５を遊技機本体３に組み込むだけで出力手段５４を設置でき、出力手段５４の設置を容易にできる。
出力手段５４は、表示手段５２の側方でかつ表示領域Ａを囲むように設けられているので、出力手段５４が画像光をさえぎることがなく、表示領域Ａから画像光を良好に射出できる。
透光性部材５４２の底面５４２２にはハーフミラー層５４２５が積層されているので、出力手段５４から射出されて透光性部材５４２の内部に入射する赤外線信号を、ハーフミラー層５４２５で反射でき、赤外線信号を透光性部材５４２から外部へ良好に射出できる。
【００２９】
画像表示装置５は、音声信号を生成するサウンドプロセッサ５５７と、音声信号を射出部５４１１を制御するための制御信号に変調して出力手段５４に出力するエンコーダ５５８とを備えているので、表示画像に同期させた音声信号としての赤外線信号を出力手段５４から出力できる。
【００３０】
遊技機１は、音声信号としての赤外線信号を受信して再生するヘッドホン４を備えているので、遊技者は、個々にヘッドホン４で当該遊技者が使用する遊技機１からの音声のみを聞くことができ、リラックスした状態で遊技を楽しむことができる。
【００３１】
〔第２実施形態〕
図７は、画像表示装置５の要部を破断して示す平面図、図８は、要部を一部拡大して示す画像表示装置５の横断面図である。なお、図７では、カバーガラス５３を省略して図示した。また、以下の説明では、既に説明した部分と同一または略同一の部分については同一の符号を付して説明を省略する。
本実施形態の遊技機は、前述の遊技機１と同様の構成を備える。しかし、前述の遊技機１では、透光性部材５４２は、四角枠状に形成されて液晶パネル５２１の表示領域Ａを囲むように設けられていたが、本実施形態の遊技機では、図７および図８に示すように、透光性部材５４３は、板状に形成され、液晶パネル５２１の表示領域Ａを覆うようにして配置される。この点が、本実施形態の遊技機と前述の遊技機１との異なる主な点である。
【００３２】
このような透光性部材５４３は、フレーム５１の側面部５１１と対向するように配置されて当該側面部５１１との間に射出部５４１１を閉じ込める側面５４３１と、液晶パネル５２１側に配置される底面５４３２と、液晶パネル５２１側とは反対側に配置されて遊技者の正面に位置することとなる正面５４３３とを備えている。
【００３３】
このうち、側面５４３１には、赤外線信号のみを透過させる赤外線フィルタ層５４２４が積層されている。また、その底面５４３２には、赤外線信号を反射するとともに液晶パネル５２１からの光束を透過させるハーフミラー層５４２５と、液晶パネル５２１からの画像光に含まれる赤外線をカットする赤外線カットフィルタ層５４２６とが、透光性部材５４３側から液晶パネル５２１側へ向かって順に積層されている。このうち、ハーフミラー層５４２５は、透光性部材５４３の正面５４３３にも積層されている。
【００３４】
図９は、透光性部材５４３の正面５４３３を示す斜視図である。
ハーフミラー層５４２５には、図９に示すように、格子状の溝５４２７が形成されている。この溝５４２７は、ハーフミラー層５４２５が透光性部材５４３の正面５４３３に積層された後、当該ハーフミラー層５４２５が格子状に削られることにより形成される。このような本実施形態の透光性部材５４３の厚さＴ２は、例えば５ｍｍに設定され、溝５４２７の幅Ｈ２は、例えば１００μｍに設定される。
【００３５】
このような透光性部材５４３内に、射出部５４１１から射出された音声信号としての赤外線信号が側面５４３１から入射すると、当該赤外線信号は、正面５４３３および底面５４３２に形成されたハーフミラー層５４２５間で反射を繰り返すことで、透光性部材５４３に対して略鉛直方向に整波され、溝５４２７から外部へ射出される。
従って、本実施形態の遊技機によれば、前述と同様の効果を奏することができるうえ、一層良好にヘッドホン４に向けて赤外線信号を出力でき、確実に混線を抑制できる。
【００３６】
〔実施形態の変形〕
なお、本発明は前述の実施形態に限定されるものではなく、本発明の目的を達成できる範囲での変形、改良等は本発明に含まれるものである。
図１０は、ＬＥＤ基板の変形を示す平面図である。
前記各実施形態では、ＬＥＤ基板５４１は、液晶パネル５２１を囲むように四角枠状に形成されていたが、図１１に示すように、４枚の基板に分けられて液晶パネル５２１の各辺と接するように設けられていてもよい。この場合、各ＬＥＤ基板５４１の長さは適宜に設定されていてよい。
射出部５４１１は、ＬＥＤ基板５４１の適宜の位置に適宜の数設けられていてよい。
【００３７】
前記各実施形態では、表示手段５２は、液晶パネル５２１およびバックライトユニット５２２から構成されていたが、表示手段５２は、プラズマ、有機ＥＬ(Electro luminescence)、およびＣＲＴ(Cathode Ray Tube)等のディスプレイから構成されていてもよい。
前記各実施形態では、遊技機１は、パチンコ機として構成されていたが、遊技機１は、パチスロ機、ピンボール機、およびアレンジボール機として構成されていてもよい。
前記各実施形態では、画像表示装置５は、遊技機に用いられていたが、他の電子機器の表示部として用いられていてもよく、表示装置単体として用いることも可能である。
【産業上の利用可能性】
【００３８】
本発明は、パチンコ機およびパチスロ機等の遊技機として利用できる。また、本発明は、それらや電子機器に用いられる画像表示装置として利用できる。
【図面の簡単な説明】
【００３９】
【図１】本発明の第１実施形態に係る遊技機を示す斜視図。
【図２】前記実施形態における遊技者による遊技機の使用状態を示す側面図。
【図３】前記実施形態における画像表示装置の要部を破断して示す平面図。
【図４】前記実施形態における画像表示装置の要部を示す斜視図。
【図５】前記実施形態における画像表示装置の横断面図。
【図６】前記実施形態における回路基板の構成を示すブロック図。
【図７】本発明の第２実施形態に係る画像表示装置の要部を破断して示す平面図。
【図８】前記実施形態における画像表示装置の横断面図。
【図９】前記実施形態における透光性部材の天面を示す斜視図。
【図１０】ＬＥＤ基板の変形を示す平面図。
【符号の説明】
【００４０】
１…遊技機、４…受信再生装置（ヘッドホン）、５２…表示手段、５４…出力手段、５５６…生成部（サウンドプロセッサ）、５５７…変調部（エンコ−ダ）、５４２，５４３…透光性部材、５４１１…射出部、５４２６…赤外線カットフィルタ層、Ａ…表示領域。
【図１】
2009160289.tif 000003
【図２】
2009160289.tif 000004
【図３】
2009160289.tif 000005
【図４】
2009160289.tif 000006
【図５】
2009160289.tif 000007
【図６】
2009160289.tif 000008
【図７】
2009160289.tif 000009
【図８】
2009160289.tif 000010
【図９】
2009160289.tif 000011
【図１０】
2009160289.tif 000012